(57)【要約】      （修正有）【課題】コスト低減化を狙いに、エアカーテン吹出口に設けた仕切板の組立に要する部品点数，工数を削減した組立構造を提供する。【解決手段】冷気循環ダクト１０を通じてケース本体の前面に冷気エアカーテンを吹き出し形成する冷気循環式のオープンショーケースで、ケース本体の上部前縁に開口したエアカーテン吹出口１０ａに該吹出口を内外に二分する仕切板１１を設けて内箱の天井パネル前面壁１ｃに固定支持し、その画成したスリット１３を通じてスリットエアカーテンＣをエアカーテンＡの内側に高速で吹き出すようにしたものにおいて、仕切板１１，天井パネル前面壁１ｃの板面にその長手方向複数箇所に分散してエンボス１１ｃ，１ｄを押し出し形成して、双方のエンボス１１ｃ、１ｄを突き合わせて固定ネジ１５により締結し、このエンボス１１ｃ、１ｄをスペーサとして仕切板１１と天井パネル１ｃ前面壁との間に所要幅の冷気吹出スリットを画成する。【選択図】        図１
2006110125.tif 000002
【特許請求の範囲】
【請求項１】
ケース本体の外箱と内箱との間に画成した冷気循環ダクトを通じてケース本体の前面に冷気エアカーテンを吹き出し形成する冷気循環式のオープンショーケースであり、ケース本体の上部前縁に開口したエアカーテン吹出口に該吹出口を内外に二分する仕切板を設け、かつ該仕切板を内箱の天井パネル前面壁に支持した上で、該仕切板を境に外側にハニカム整流体を配置してエアカーテンを吹き出し形成とともに、仕切板の内面と天井パネル前面壁との間に画成されたスリットを通じて循環冷気の一部を庫内前面に向け高速で吹き出すようにしたものにおいて、
前記仕切板の板面には内箱の天井パネル前面壁に向けて膨出するエンボスを押し出し形成し、該エンボスをスペーサとして仕切板と天井パネル前面壁との間に冷気吹出スリットを確保したことを特徴とするオープンショーケース。
【請求項２】
請求項１記載のオープンショーケースにおいて、仕切板の長手方向複数箇所に分散してエンボスを押し出し形成するとともに、該エンボスに対峙して天井パネル前面壁には仕切板に向けて膨出するエンボスを形成し、双方のエンボス端面を突き合わせて仕切板と天井パネル前面壁との間に所要間隔の冷気吹出スリットを画成したことを特徴とするオープンショーケース。
【請求項３】
請求項２記載のオープンショーケースにおいて、仕切板に形成したエンボスと天井パネル前面壁に形成したエンボスとを突き合わせた上で、両者の間をネジ締結して仕切板を天井パネル前面壁に固定支持したことを特徴とするオープンショーケース。
【発明の詳細な説明】
【技術分野】
【０００１】
本発明は、冷気循環式のオープンショーケースに関し、詳しくは庫内前面に向けて冷気エアカーテンを吹き出し形成するエアカーテン吹出口の構造に係わる。
【背景技術】
【０００２】
まず、頭記の冷気循環式オープンショーケースとして、二層エアカーテン方式の多段形オープンショーケースの構成を図３に示す。図３において、１は断熱筐体になるオープンショーケースのケース本体であり、前面開放形の外箱１ａと内箱１ｂとの間には、内箱１ｂの外周に内外二重の冷気循環ダクト２，３が画成されており、この冷気循環ダクト２，３に連ねてケース本体１のフロント上部側にはエアカーテン吹出口２ａ，３ａが、下部側にはエアカーテン吸込口２ｂ，３ｂが開口している。また、内層の冷気循環ダクト（インナーダクト）２には冷却器（冷凍機のエバポレータ）４およびファン５が、外層の冷気循環ダクト（アウターダクト）３にはファン６が配備されている。
【０００３】
また、前記のエアカーテン吹出口２ａ，３ａにはハニカム整流体７を配備し、ショーケースの保冷運転時にはハニカム整流体７を通じて庫内前面に内外二層の冷気エアカーテンＡ，Ｂを吹き出し形成して庫内に保冷する。なお、８は商品陳列棚、９はケース本体１の上部前面に設けたキャノピー部である。
【０００４】
一方、前記の冷気循環式オープンショーケースについて、保冷運転時に庫内前面に熱遮蔽性能の高いエアカーテンを吹き出し形成するための手段として、内層のエアカーテン吹出口に該吹出口を内外に二分する仕切板を設けた上で、該仕切板の外側に前記のハニカム整流体を配置してエアカーテンを吹き出すとともに、仕切板と背後の天井パネル前面壁との間に画成されたスリットを通じて循環冷気の一部をエアカーテンとして庫内前面に向け高速で吹き出すようにし、そのスリットエアカーテンの形成により庫内前面に吹き出し形成されるエアカーテンの乱れを効果的に防ぐようにしたオープンショーケースが知られており（例えば、特許文献１参照）、その詳細構造を図４に示す。
【０００５】
図４において、１０はケース本体１の外箱１ａと内箱１ｂとの間に画成された冷気循環ダクト、１０ａはエアカーテン吹出口であり、該吹出口１０には仕切板１１を配置してエアカーテン吹出口１０ａを内外に二分し、その外側にはハニカム整流体７を配置してエアカーテンＡを吹き出し形成するとともに、仕切板１１と内箱１ｂの天井パネル前面壁（天井パネルの前縁部分を下向きに折り曲げて形成している）１ｃとの間に画成した間隔の狭いスリット１３を通じてその先端に開口するノズル部１１ａより循環冷気の一部を高速で吹き出し、庫内前面（エアカーテンＡの内側）にスリットエアカーテンＣを形成するようにしている。なお、１１ｂは仕切板１１の上端に設けた風向ガイドである。
【０００６】
ここで、仕切板１１はショーケースの間口寸法に対応した長さの長尺板で、次記のように天井パネル前面壁１ｃの前面に固定して両者の間にエアカーテンのノズルを形成する所定幅のスリット１３を確保するようにしている。すなわち、図４に示した仕切板の取付構造では天井パネルの前面壁１ｃに、その長手方向に沿った複数箇所に取付金（スペーサを兼ねた台座）１２をネジ止めないし溶接して取り付け、この取付金１２の前端面に仕切板１１を固定している。
【特許文献１】特開平１１−３２５６９８号公報
【発明の開示】
【発明が解決しようとする課題】
【０００７】
ところで、図４に示した従来構造では、エアカーテン吹出口に設けた仕切板１１を取付金１２を介して内箱１ｂの天井パネル前面壁１ｃに取り付けており、このために仕切板の取り付けに要する部品点数が増えるほか、取付金１２を天井パネルの前面壁１ｃにネジ止め，溶接する組立工数も増してコスト高となる。
【０００８】
本発明は上記の点に鑑みなされたものであり、その目的はコスト低減化を狙いにエアカーテン吹出口に設けた仕切板の組み付けに要する部品点数，組立工数を削減できるようにその組立構造を改良したオープンショーケースを提供することにある。
【課題を解決するための手段】
【０００９】
上記目的を達成するために、本発明によれば、ケース本体の外箱と内箱との間に画成した冷気循環ダクトを通じてケース本体の前面に冷気エアカーテンを吹き出し形成する冷気循環式のオープンショーケースで、そのケース本体の上部前縁に開口したエアカーテン吹出口に該吹出口を内外に二分する仕切板を設け、かつ該仕切板を内箱の天井パネル前面壁に支持した上で、該仕切板を境に外側にハニカム整流体を配置してエアカーテンを吹き出すとともに、仕切板の内面と天井パネル前面壁との間に画成されたスリットを通じて循環冷気の一部を庫内前面に向け高速で吹き出すようにしたものにおいて、
前記仕切板の板面には内箱の天井パネル前面壁に向けて膨出するエンボスを押し出し形成し、該エンボスをスペーサとして仕切板と天井パネル前面壁との間に冷気吹出スリットを確保するようにし（請求項１）、具体的には仕切板の取り付け構造を次記ような態様で構成する。
（１）前記仕切板の長手方向複数箇所に分散してエンボスを押し出し形成するとともに、該エンボスに対峙して天井パネル前面壁には仕切板に向けて膨出するエンボスを形成し、双方のエンボス端面を突き合わせて仕切板と天井パネル前面壁との間に所要間隔の冷気吹出スリットを画成する（請求項２）。
（２）前項（１）において、仕切板に形成したエンボスと天井パネル前面壁に形成したエンボスとを突き合わせた上で、両者の間をネジ締結して仕切板を天井パネル前面壁に固定支持する（請求項３）。
【発明の効果】
【００１０】
上記の構成によれば、仕切板を前面パネルの前面壁に固定する組立工程では別部品の取付金が必要なく、エンボス同士を突き合わせて両者間をネジ締結するだけで仕切板を定位置に固定支持することができ、これにより従来構造と比べて部品点数，組立工数を削減してコストダウンが図れる。なお、このエンボスは仕切板，天井パネルの前面壁をプレス加工する際に同時に形成することが可能である。
【発明を実施するための最良の形態】
【００１１】
以下、本発明の実施の形態を図１，図２に示す実施例に基づいて説明する。なお、実施例の図中で図４に対応する部材には同じ符号を付してその説明は省略する。
【００１２】
図１，図２に示す実施例の構造において、図４と同様にエアカーテン吹出口１０ａに該吹出口を内外に二分する仕切板１１が設けてある点は同様であるが、この仕切板１１を内箱１ｂの天井パネル前面壁１ｃに固定支持するための手段として、仕切板１１および天井パネル前面壁１ｃには、その長手方向に沿った複数箇所に分散して台円形状に膨出したネジ穴付きのエンボス１１ｃ，１ｄが同じ位置に押し出し形成されている。なお、このエンボス１１ｃ，１ｄは仕切板，天井パネルをプレス，板金加工する工程で同時に押し出し形成することができる。
【００１３】
そして、仕切板１１を天井パネル前面壁１ｃに取り付けるには、前記エンボス１１ｃ，１ｄの端面同士を前後に突き合わせた上で、両者間を固定ネジ１５により締結して仕切板１１を内箱の天井パネル前面に固定支持し、この組立状態で仕切板１１と天井パネル前面壁１ｃとの間に所要幅のスリット１３を画成している。なお、仕切板１１はその左右両端を内側へＬ形に折り曲げ、天井パネル側に固定した状態でその側壁を天井パネル前面壁に突き合わせてエアカーテンの噴き出しノズル（ダクト）を形成するようにしている。
【図面の簡単な説明】
【００１４】
【図１】本発明の実施例によるエアカーテン吹出口の構成断面図
【図２】図１における仕切板，天井パネルの分解斜視図
【図３】冷気循環形オープンショーケースの概要構成図
【図４】従来におけるオープンショーケースのエアカーテン吹出口の構成断面図
【符号の説明】
【００１５】
１    ケース本体
１ａ  外箱
１ｂ  内箱
１ｃ  天井パネル前面壁
１ｄ  エンボス
７    ハニカム整流体
１０    冷気循環ダクト
１０ａ  エアカーテン吹出口
１１    仕切板
１１ｃ  エンボス
１５    固定ネジ
【図１】
2006110125.tif 000003
【図２】
2006110125.tif 000004
【図３】
2006110125.tif 000005
【図４】
2006110125.tif 000006